(57)【要約】【課題】貯水槽および加湿板が筐体に対して着脱可能な構成において、貯水槽および加湿板が筐体に装着された状態で、筐体内の水および筐体内を流れる空気が漏れ出すことを防止できる加湿装置および加湿機能付き空気清浄機を提供すること。【解決手段】受皿２２および加湿板３２は、本体ケース２の開口８２を介して、背面側から本体ケース２に対して着脱可能である。リヤカバー１２０は、本体ケース２に対する装着状態において開口８２を背面側から塞ぐ。本体ケース２内部を区画する隔壁１３の貫通穴８０は、前記装着状態において、受皿２２の仕切り板６７によって背面側から塞がれる。ガイドリブ１０１は、リヤカバー１２０および仕切り板６７を正面側へ引き込むので、前記装着状態において、リヤカバー１２０は、開口８２を背面側から隙間なく塞ぐことができ、仕切り板６７は、隔壁１３の貫通穴８０を背面側から隙間なく塞ぐことができる。【選択図】図２
2010060155.tif 000002
【特許請求の範囲】
【請求項１】
空気を取り込むための入口、および、空気を排出するための出口が形成された筐体と、
前記筐体内部を前記入口に連通する正面側の第１室と前記出口に連通する背面側の第２室とに区画し、前記第１室と前記第２室とを連通させる連通穴が形成された隔壁と、
前記第１室に配置され、前記入口から空気を取り込んで空気流を生成し、前記連通穴から前記第２室へ送り込む送風手段と、
前記筐体に着脱可能に収容され、水が溜められる貯水槽と、
前記筐体に着脱可能であり、前記第２室に配置され、前記貯水槽の水に漬かった状態と、水から上がった状態との間を移動し、水から上がった状態のときに空気流に曝され、空気を加湿するための加湿板と、
前記筐体の背面に形成され、前記第２室に連通し、前記筐体に着脱される前記貯水槽および前記加湿板を通過させる開口と、
前記貯水槽および前記加湿板と一体となって前記筐体に対して背面側から着脱可能であり、前記筐体に対する装着状態において前記開口を背面側から塞ぐリヤカバーと、
前記貯水槽に設けられ、前記貯水槽を、前記加湿板が配置される第１領域と、前記第１領域に給水する給水タンクが配置される第２領域とに仕切る仕切り板と、
前記隔壁に形成され、前記装着状態において、前記第２領域が挿通され、前記仕切り板によって背面側から塞がれる穴と、
前記リヤカバーおよび前記仕切り板を正面側へ引き込む引き込み手段と、
を有することを特徴とする、加湿装置。
【請求項２】
前記給水タンクは、前記筐体に対して正面側から着脱可能であり、
前記引き込み手段は、前記給水タンクに設けられ、前記給水タンクが前記筐体に装着されるときに前記貯水槽に係合して前記貯水槽を正面側へ引き込むリブを含むことを特徴とする、請求項１記載の加湿装置。
【請求項３】
前記給水タンクは、前記筐体に対して正面側から着脱可能であり、
前記給水タンクと一体となって前記筐体に対して着脱可能なフロントカバーを備え、
前記引き込み手段は、前記フロントカバーに設けられ、前記フロントカバーおよび前記給水タンクが前記筐体に装着されるときに前記貯水槽に係合して前記貯水槽を正面側へ引き込むリブを含むことを特徴とする、請求項１記載の加湿装置。
【請求項４】
前記リブは、前記貯水槽に接触することによって前記貯水槽を正面側に引き込む傾斜面と、前記傾斜面に連設され、前記傾斜面によって引き込まれた前記貯水槽に接触することによって前記貯水槽を正面側に引き込んだ状態で水平方向に位置決めする垂直面とを有していることを特徴とする、請求項２または３記載の加湿装置。
【請求項５】
前記引き込み手段は、前記筐体および前記リヤカバーのそれぞれに設けられ、互いに引き寄せ合う磁石を含むことを特徴とする、請求項１ないし４のいずれかに記載の加湿装置。
【請求項６】
前記第２室内において、前記隔壁から前記開口の縁まで延びる第１壁と、
前記リヤカバーに設けられ、前記装着状態において前記第１壁と前記連通穴および前記加湿板との間に配置されて前記隔壁まで延びる第２壁と、
を有することを特徴とする、請求項１〜５のいずれかに記載の加湿装置。
【請求項７】
空気を取り込むための入口、および、空気を排出するための出口が形成された筐体と、
前記筐体内部を前記入口に連通する正面側の第１室と前記出口に連通する背面側の第２室とに区画し、前記第１室と前記第２室とを連通させる連通穴が形成された隔壁と、
前記第１室に配置され、前記入口から空気を取り込んで空気流を生成し、前記連通穴から前記第２室へ送り込む送風手段と、
前記筐体に着脱可能に収容され、水が溜められる貯水槽と、
前記筐体に着脱可能であり、前記第２室に配置され、前記貯水槽の水に漬かった状態と、水から上がった状態との間を移動し、水から上がった状態のときに空気流に曝され、空気を加湿するための加湿板と、
前記筐体の背面に形成され、前記第２室に連通し、前記筐体に着脱される前記貯水槽および前記加湿板を通過させる開口と、
前記貯水槽および前記加湿板と一体となって前記筐体に対して背面側から着脱可能であり、前記筐体に対する装着状態において前記開口を背面側から塞ぐリヤカバーと、
前記第２室内において、前記隔壁から前記開口の縁まで延びる第１壁と、
前記リヤカバーに設けられ、前記装着状態において前記第１壁と前記連通穴および前記加湿板との間に配置されて前記隔壁まで延びる第２壁と、
を有することを特徴とする、加湿装置。
【請求項８】
前記入口から取り込まれた空気を清浄化するための空気清浄化手段と、
請求項１〜７のいずれかに記載の加湿装置と、
を有することを特徴とする、加湿機能付き空気清浄機。
【発明の詳細な説明】
【技術分野】
【０００１】
この発明は、加湿装置および加湿機能付き空気清浄機に関する。
【背景技術】
【０００２】
空気を取り込み、この空気を加湿して機外へ放出する加湿装置が知られている（特許文献１参照）。特許文献１に記載の加湿装置では、吸込口および吹出口を有した本体（筐体に相当する。）内に、吸込口および吹出口を連通する空気流路が形成され、空気流路には、送風機およびヒータが設けられている。そして、本体の下方部には、水槽（貯水槽に相当する。）が引き出し自在に設けられ、水槽には、加湿フィルタ（加湿板に相当する。）が、下部を水槽の水に浸漬した状態で、回転自在に設けられている。
【０００３】
特許文献１に記載の加湿装置が運転状態にあるときには、機外の空気が送風機によって吸込口から空気流路へ吸い込まれた後にヒータへ送られ、ヒータで加熱されて温風となる。そして、この温風が、水槽の水に浸されながら回転している加湿フィルタに接触し、加湿フィルタに付着した水によって加湿され、吹出口から機外へ放出される。
【特許文献１】特開２００６−２００７６２号公報
【発明の開示】
【発明が解決しようとする課題】
【０００４】
特許文献１において、加湿装置本体の外側面には、本体内部に連通する開口が形成されており、加湿フィルタのメンテナンス時には、水槽が、加湿フィルタと一体となって、この開口を介して本体から引き出される。
そして、加湿フィルタのメンテナンス後には、水槽が開口を介して本体に押し込まれるのだが、本体に押し込まれた水槽が本体の開口を隙間無く塞いでいないと、加湿装置を運転させたときに、本体内を流れる空気や水槽内の水が開口と水槽との隙間から漏れ出してしまう虞がある。
【０００５】
空気が漏れ出すと、本体内で加湿される空気の量が減少するので、加湿効率の低下が懸念される。水が漏れ出すと、加湿装置が載置される載置面が水浸しになってしまう。
この発明は、かかる背景のもとになされたもので、貯水槽および加湿板が筐体に対して着脱可能な構成において、貯水槽および加湿板が筐体に装着された状態で、筐体内の水および筐体内を流れる空気が漏れ出すことを防止できる加湿装置および加湿機能付き空気清浄機を提供することを目的とする。
【課題を解決するための手段】
【０００６】
請求項１記載の発明は、空気を取り込むための入口、および、空気を排出するための出口が形成された筐体と、前記筐体内部を前記入口に連通する正面側の第１室と前記出口に連通する背面側の第２室とに区画し、前記第１室と前記第２室とを連通させる連通穴が形成された隔壁と、前記第１室に配置され、前記入口から空気を取り込んで空気流を生成し、前記連通穴から前記第２室へ送り込む送風手段と、前記筐体に着脱可能に収容され、水が溜められる貯水槽と、前記筐体に着脱可能であり、前記第２室に配置され、前記貯水槽の水に漬かった状態と、水から上がった状態との間を移動し、水から上がった状態のときに空気流に曝され、空気を加湿するための加湿板と、前記筐体の背面に形成され、前記第２室に連通し、前記筐体に着脱される前記貯水槽および前記加湿板を通過させる開口と、前記貯水槽および前記加湿板と一体となって前記筐体に対して背面側から着脱可能であり、前記筐体に対する装着状態において前記開口を背面側から塞ぐリヤカバーと、前記貯水槽に設けられ、前記貯水槽を、前記加湿板が配置される第１領域と、前記第１領域に給水する給水タンクが配置される第２領域とに仕切る仕切り板と、前記隔壁に形成され、前記装着状態において、前記第２領域が挿通され、前記仕切り板によって背面側から塞がれる穴と、前記リヤカバーおよび前記仕切り板を正面側へ引き込む引き込み手段と、を有することを特徴とする、加湿装置である。
【０００７】
請求項２記載の発明は、前記給水タンクは、前記筐体に対して正面側から着脱可能であり、前記引き込み手段は、前記給水タンクに設けられ、前記給水タンクが前記筐体に装着されるときに前記貯水槽に係合して前記貯水槽を正面側へ引き込むリブを含むことを特徴とする、請求項１記載の加湿装置である。
請求項３記載の発明は、前記給水タンクは、前記筐体に対して正面側から着脱可能であり、前記給水タンクと一体となって前記筐体に対して着脱可能なフロントカバーを備え、前記引き込み手段は、前記フロントカバーに設けられ、前記フロントカバーおよび前記給水タンクが前記筐体に装着されるときに前記貯水槽に係合して前記貯水槽を正面側へ引き込むリブを含むことを特徴とする、請求項１記載の加湿装置である。
【０００８】
請求項４記載の発明は、前記リブは、前記貯水槽に接触することによって前記貯水槽を正面側に引き込む傾斜面と、前記傾斜面に連設され、前記傾斜面によって引き込まれた前記貯水槽に接触することによって前記貯水槽を正面側に引き込んだ状態で水平方向に位置決めする垂直面とを有していることを特徴とする、請求項２または３記載の加湿装置である。
【０００９】
請求項５記載の発明は、前記引き込み手段は、前記筐体および前記リヤカバーのそれぞれに設けられ、互いに引き寄せ合う磁石を含むことを特徴とする、請求項１ないし４のいずれかに記載の加湿装置である。
請求項６記載の発明は、前記第２室内において、前記隔壁から前記開口の縁まで延びる第１壁と、前記リヤカバーに設けられ、前記装着状態において前記第１壁と前記連通穴および前記加湿板との間に配置されて前記隔壁まで延びる第２壁と、を有することを特徴とする、請求項１〜５のいずれかに記載の加湿装置である。
【００１０】
請求項７記載の発明は、空気を取り込むための入口、および、空気を排出するための出口が形成された筐体と、前記筐体内部を前記入口に連通する正面側の第１室と前記出口に連通する背面側の第２室とに区画し、前記第１室と前記第２室とを連通させる連通穴が形成された隔壁と、前記第１室に配置され、前記入口から空気を取り込んで空気流を生成し、前記連通穴から前記第２室へ送り込む送風手段と、前記筐体に着脱可能に収容され、水が溜められる貯水槽と、前記筐体に着脱可能であり、前記第２室に配置され、前記貯水槽の水に漬かった状態と、水から上がった状態との間を移動し、水から上がった状態のときに空気流に曝され、空気を加湿するための加湿板と、前記筐体の背面に形成され、前記第２室に連通し、前記筐体に着脱される前記貯水槽および前記加湿板を通過させる開口と、前記貯水槽および前記加湿板と一体となって前記筐体に対して背面側から着脱可能であり、前記筐体に対する装着状態において前記開口を背面側から塞ぐリヤカバーと、前記第２室内において、前記隔壁から前記開口の縁まで延びる第１壁と、前記リヤカバーに設けられ、前記装着状態において前記第１壁と前記連通穴および前記加湿板との間に配置されて前記隔壁まで延びる第２壁と、を有することを特徴とする、加湿装置である。
【００１１】
請求項８記載の発明は、前記入口から取り込まれた空気を清浄化するための空気清浄化手段と、請求項１〜７のいずれかに記載の加湿装置と、を有することを特徴とする、加湿機能付き空気清浄機である。
【発明の効果】
【００１２】
請求項１記載の発明によれば、この加湿装置では、筐体内部が、隔壁によって、入口に連通する正面側の第１室と出口に連通する背面側の第２室とに区画されている。
第１室には、送風手段が配置されており、送風手段は、入口から空気を取り込んで空気流を生成し、隔壁の連通穴から第２室へ送り込む。
第２室には、加湿板が配置されており、加湿板は、筐体に収容された貯水槽の水に漬かった状態と、水から上がった状態との間を移動し、水から上がった状態のときに空気流に曝され、空気を加湿する。
【００１３】
ここで、筐体の背面には、第２室に連通する開口が形成されており、貯水槽および加湿板は、開口を介して、背面側から筐体に対して着脱可能である。貯水槽および加湿板が筐体に対して着脱される際、リヤカバーが、貯水槽および加湿板と一体となって筐体に対して背面側から着脱される。リヤカバーは、筐体に対する装着状態において開口を背面側から塞ぐ。
【００１４】
また、貯水槽は、貯水槽に設けられた仕切り板によって、加湿板が配置される第１領域と、給水タンクが配置される第２領域とに仕切られている。そして、隔壁には穴が形成されており、この穴は、貯水槽、加湿板およびリヤカバーの筐体に対する装着状態において、貯水槽の第２領域が挿通されつつ、仕切り板によって背面側から塞がれる。
そして、加湿装置は、引き込み手段を有しており、引き込み手段は、リヤカバーおよび仕切り板を正面側へ引き込むので、前記装着状態において、リヤカバーは、開口を背面側から隙間なく塞ぐことができ、仕切り板は、隔壁の穴を背面側から隙間なく塞ぐことができる。
【００１５】
その結果、貯水槽および加湿板が筐体に対して着脱可能な加湿装置において、貯水槽および加湿板が筐体に装着された状態で、筐体内の水および筐体内を流れる空気が筐体背面の開口や隔壁の穴から漏れ出すことを防止できる。
請求項２記載の発明によれば、引き込み手段は、筐体に対して正面側から着脱可能な給水タンクに設けられ、給水タンクが筐体に装着されるときに貯水槽に係合して貯水槽を正面側へ引き込むリブを含んでいる。そのため、このような簡易な構成のリブを設けることにより、給水タンクを正面側から筐体に装着するだけの動作で、貯水槽、換言すれば、リヤカバーおよび仕切り板を正面側へ引き込んで、開口および隔壁の穴を背面側から隙間なく塞ぐことができる。
【００１６】
請求項３記載の発明によれば、引き込み手段は、給水タンクと一体となって筐体に対して正面側から着脱可能なフロントカバーに設けられ、フロントカバーおよび給水タンクが筐体に装着されるときに貯水槽に係合して貯水槽を正面側へ引き込むリブを含んでいる。そのため、このような簡易な構成のリブを設けることにより、フロントカバーおよび給水タンクを正面側から筐体に装着するだけの動作で、貯水槽、換言すれば、リヤカバーおよび仕切り板を正面側へ引き込んで、開口および隔壁の穴を背面側から隙間なく塞ぐことができる。
【００１７】
請求項４記載の発明によれば、リブは、貯水槽に接触することによって貯水槽を正面側に引き込む傾斜面と、傾斜面に連設され、傾斜面によって引き込まれた貯水槽に接触することによって貯水槽を正面側に引き込んだ状態で水平方向に位置決めする垂直面とを有している。
そのため、給水タンクを正面側から筐体に装着すると、リブでは、まず、傾斜面が貯水槽（つまりリヤカバーおよび仕切り板）を正面側に引き込むことによって、開口および隔壁の穴を背面側から隙間なく塞ぐことができる。その後、垂直面が貯水槽を正面側に引き込んだ状態で水平方向に位置決めすることによって、開口および隔壁の穴が背面側から隙間なく塞がれた状態を維持することができる。
【００１８】
つまり、このような傾斜面および垂直面を有するリブによって、開口および隔壁の穴を背面側から隙間なく塞ぐことができ、さらに、隙間なく塞いだ状態を維持することができる。
請求項５記載の発明によれば、引き込み手段は、筐体およびリヤカバーのそれぞれに設けられ、互いに引き寄せ合う磁石を含んでいる。そのため、リヤカバーを背面側から筐体に装着するだけの動作で、筐体側の磁石とリヤカバー側の磁石とが互いに引き寄せ合うことによってリヤカバーおよび仕切り板が正面側へ自動的に引き込まれ、これにより、開口および隔壁の穴を背面側から隙間なく塞ぐことができる。
【００１９】
請求項６記載の発明によれば、筐体において、背面側の第２室内では、第１壁が、隔壁から筐体背面の開口の縁まで背面側へ延びている。そして、開口を背面側から塞ぐリヤカバーには、筐体に対する装着状態において第１壁と隔壁の連通穴および加湿板との間に配置されて隔壁まで正面側に延びる第２壁が設けられている。
そのため、リヤカバーが筐体に装着された状態において、加湿装置が運転されることによって連通穴から第２室へ空気流が送り込まれ、この空気流が加湿板の水分を伴って開口の縁から外部へ漏れ出そうとしても、空気流および水は、第２壁に沿って一旦隔壁へ向かって正面側へ流れ、その後、隔壁で背面側に向きを変えて第２壁と第１壁との間を通らねば、開口の縁に到達できない。
【００２０】
これにより、第２室内の空気流および水が開口の縁に到達するまでの経路を長くすることができるので、貯水槽、加湿板およびリヤカバーが筐体に対して着脱可能な加湿装置において、貯水槽、加湿板およびリヤカバーが筐体に装着された状態で、筐体（詳しくは第２室）内の水および筐体内を流れる空気が筐体背面の開口から漏れ出すことを防止できる。また、第２壁に沿って隔壁へ向かった空気流および水が隔壁にぶつかることで、これらの流れる勢いが衰えるので、これによっても、空気および水が開口から漏れ出すことを防止できる。
【００２１】
請求項７記載の発明によれば、この加湿装置では、筐体内部が、隔壁によって、入口に連通する正面側の第１室と出口に連通する背面側の第２室とに区画されている。
第１室には、送風手段が配置されており、送風手段は、入口から空気を取り込んで空気流を生成し、隔壁の連通穴から第２室へ送り込む。
第２室には、加湿板が配置されており、加湿板は、筐体に収容された貯水槽の水に漬かった状態と、水から上がった状態との間を移動し、水から上がった状態のときに空気流に曝され、空気を加湿する。
【００２２】
ここで、筐体の背面には、第２室に連通する開口が形成されており、貯水槽および加湿板は、開口を介して、背面側から筐体に対して着脱可能である。貯水槽および加湿板が筐体に対して着脱される際、リヤカバーが、貯水槽および加湿板と一体となって筐体に対して背面側から着脱される。リヤカバーは、筐体に対する装着状態において開口を背面側から塞ぐ。
【００２３】
そして、筐体において、背面側の第２室内では、第１壁が、隔壁から筐体背面の開口の縁まで背面側へ延びている。そして、開口を背面側から塞ぐリヤカバーには、筐体に対する装着状態において第１壁と隔壁の連通穴および加湿板との間に配置されて隔壁まで正面側に延びる第２壁が設けられている。
そのため、リヤカバーが筐体に装着された状態において、加湿装置が運転されることによって連通穴から第２室へ空気流が送り込まれ、この空気流が加湿板の水分を伴って開口の縁から外部へ漏れ出そうとしても、空気流および水は、第２壁に沿って一旦隔壁へ向かって正面側へ流れ、その後、隔壁で背面側に向きを変えて第２壁と第１壁との間を通らねば、開口の縁に到達できない。
【００２４】
これにより、第２室内の空気流および水が開口の縁に到達するまでの経路を長くすることができるので、貯水槽、加湿板およびリヤカバーが筐体に対して着脱可能な加湿装置において、貯水槽、加湿板およびリヤカバーが筐体に装着された状態で、筐体（詳しくは第２室）内の水および筐体内を流れる空気が筐体背面の開口から漏れ出すことを防止できる。また、第２壁に沿って隔壁へ向かった空気流および水が隔壁にぶつかることで、これらの流れる勢いが衰えるので、これによっても、空気および水が開口から漏れ出すことを防止できる。
【００２５】
請求項８記載の発明によれば、請求項１〜７のいずれかに記載の加湿装置を有することで付加価値の高い加湿機能付き空気清浄機を提供することができる。
【発明を実施するための最良の形態】
【００２６】
以下には、図面を参照して、この発明の一実施形態としての空気清浄機１について具体的に説明する。この空気清浄機１は、後述するように加湿機能を有することから、加湿装置としても機能する。
＜空気清浄機の全体構成＞
図１（ａ）は、空気清浄機１の平面図であり、図１（ｂ）は、空気清浄機１の正面図である。
【００２７】
図１に示すように、空気清浄機１の筐体としての本体ケース２は、縦長かつ前後方向に薄い中空の略直方体形状である。本体ケース２は、略前半分をなすフロントケース３と略後半分をなすリヤケース４とによって、その外郭が形成されている（図１（ａ）参照）。なお、前側と正面側とは同義であり、後側と背面側とは同義である。
フロントケース３の天面には、操作パネル５が設けられている（図１（ａ）参照）。操作パネル５に設けられた操作キー６を操作することによって空気清浄機１の運転を制御することができ、空気清浄機１の運転条件および状態は、操作パネル５に設けられた表示部７に表示される。
【００２８】
フロントケース３の前面の幅方向両端においてやや上寄りの位置には、入口８が形成されている（図１（ｂ）参照）。入口８は、フロントケース３の内部に連通している。リヤケース４の天面、左側面および右側面のそれぞれには、出口９が形成されている（図１（ａ）参照）。これらの出口９は、リヤケース４の内部に連通している。各出口９には、格子１０が設けられている。空気清浄機１は、入口８から空気を取り込んで清浄化し、清浄化された空気を、出口９から排出する（図１（ａ）の２点鎖線の矢印を参照）。
【００２９】
また、本体ケース２（フロントケース３）の正面において、入口８より下側には、着脱可能なフロントカバー２３が設けられている（図１（ｂ）参照）。正面側からフロントカバー２３を取り外すことによって、本体ケース２内にアクセスすることができる。
図２は、空気清浄機１の右側面図であり、一部を断面で示している。
図２に示すように、フロントケース３とリヤケース４との間には、上下方向に延びる隔壁１３が設けられており、隔壁１３によって、フロントケース３の内部とリヤケース４の内部とが区画されている。この隔壁１３の下側には、連通穴１４が形成されており、連通穴１４を介して、フロントケース３の内部とリヤケース４の内部とが互いに連通している。詳しくは、フロントケース３の内部は、入口８に連通する上側の第１空間６５（第１室）と、入口８に連通しない下側の第２空間６６とに仕切られており、隔壁１３は、第１空間６５とリヤケース４の内部（第２室としての第３空間７４）とを区画し、連通穴１４は、第１空間６５と第３空間７４とを連通させる（詳しくは後述する。）。なお、フロントケース３とリヤケース４との相対位置に伴い、第１空間６５は正面側に位置し、第３空間７４は背面側に位置している。
【００３０】
本体ケース２の内部には、入口８と出口９とを連通させる流路１５（図２の太い実線矢印を参照）が形成されている。流路１５の途中に、上述した連通穴１４が位置している。
フロントケース３内部の第１空間６５、詳しくは流路１５の途中において、入口８に後側（図２では右側）から臨む位置には、空気清浄化手段としてのフィルタ１１が設けられ、第１空間６５におけるフィルタ１１の後側には、送風手段としてのファン１２が設けられている。
【００３１】
フィルタ１１は、上下方向に長く前後方向（図２では左右方向）に薄い矩形状であり、複数種類のフィルタ膜を積層することで構成されており、空気中に含まれる比較的大きな塵挨だけでなく、非常に細かな塵挨、たとえば花粉やたばこの煙の粒子等まで捕獲可能なフィルタである。
ファン１２は、たとえば、シロッコファンであって、図示しないモータに回転駆動されることによって吸引力を発生し、前側の空気を内側から吸い込んで外側（ここでは外側下方）へ吐出する。
【００３２】
このような空気清浄機１において、ファン１２が駆動されると、空気清浄機１の外部にある空気が、ファン１２が発生する吸引力によって、入口８よりフロントケース３（第１空間６５）内に取り込まれて空気流となる。そして、この空気（空気流）は、図２の太い実線矢印で示すように、流路１５を流れ、その途中においてフィルタ１１を通過することで塵埃や臭い成分が除去されて清浄化される。清浄化された空気（以下では単に「空気」ということがある。）は、ファン１２によって下方へ吐出されて、隔壁１３の連通穴１４からリヤケース４の内部（第３空間７４）へ送り込まれ、各出口９から空気清浄機１の外部へ排出される。このように清浄化された空気は、空気清浄機１の外部（室内）の隅々まで行き渡り、室内全体を万遍なく浄化する。
【００３３】
そして、この空気清浄機１は、流路１５を流れる空気を加湿するために、リヤケース４の第３空間７４に加湿ユニット２０を備えている。つまり、この空気清浄機１は、加湿機能付きの空気清浄機である。
＜加湿ユニットの全体構成＞
加湿ユニット２０は、フィルタ１１を通過して清浄化された空気を加湿するものである。これにより、水分を含んだ空気が出口９から室内へ放出されることとなり、室内の湿気が補われる。
【００３４】
加湿ユニット２０に関連して、本体ケース２内には、給水タンク２１と、回収タンク２６と、貯水槽としての受皿２２とが設けられている。
給水タンク２１は、内部に水を溜めることができる幅方向に長手の中空体であり、フロントケース３内においてフィルタ１１およびファン１２の下方に配置されている。
ここで、フロントケース３の内部は、仕切壁２５によって、上述したようにフィルタ１１およびファン１２が配置される上側の第１空間６５と、給水タンク２１が配置される下側の第２空間６６とに仕切られている。仕切壁２５は、隔壁１３において連通穴１４の下端を縁取る部分に連続して斜め前側上方（図２では斜め左側上方）へ延び、フロントケース３の前壁に接続されており、第１空間６５と第２空間６６との間を遮断している。また、仕切壁２５は、流路１５の一部を区画している。
【００３５】
給水タンク２１で溜めることができる水の量は、たとえば、２．８Ｌである。給水タンク２１の底には、図示しない弁体によって開閉される水抜き穴（図示せず）が形成されている。給水タンク２１は、ねじ等によってフロントカバー２３に固定されている。そのため、正面側からフロントカバー２３をフロントケース３から取り外すことによって、給水タンク２１は、フロントカバー２３と一体となってフロントケース３から取り外される。逆に正面側からフロントカバー２３をフロントケース３に取り付けることによって、給水タンク２１は、フロントカバー２３と一体となってフロントケース３に取り付けられる。つまり、給水タンク２１とフロントカバー２３とは、一体となって、フロントケース３（本体ケース２）に対して正面側から着脱可能である。
【００３６】
回収タンク２６は、上下方向に扁平な中空のボックス形状である。回収タンク２６は、第２空間６６において、給水タンク２１の右側部分（図２では手前側部分）の下方に配置されている。そのため、メンテナンスの際、先に給水タンク２１を取り外してから、回収タンク２６を取り外すことできる。回収タンク２６の底には、弁体２７によって開閉される流入口２８が形成されている。
【００３７】
受皿２２は、本体ケース２内の底部に収容されており、加湿ユニット２０の下部、給水タンク２１の下部および回収タンク２６の下部を収容し得る大きさ（深さ）を有している。詳しくは、受皿２２の底には、仕切り板６７が立設されており、仕切り板６７によって、受皿２２の内部が前後に二分されている。受皿２２の内部において、仕切り板６７より前側（図２では左側）の領域（第２領域としての前側領域２２Ａ）に、給水タンク２１の下部および回収タンク２６の下部が配置され、仕切り板６７より後側（図２では右側）の領域（第１領域としての後側領域２２Ｂ）に、加湿ユニット２０の下部が配置される。つまり、受皿２２において、給水タンク２１の下部および回収タンク２６の下部を収容する前側領域２２Ａは、フロントケース３の第２空間６６に配置され、後側領域２２Ｂは、リヤケース４の第３空間７４に配置されている。
【００３８】
ここで、隔壁１３において、連通穴１４の下方には、仕切り板６７にちょうど塞がれる大きさの貫通穴８０（穴）が形成されている。貫通穴８０は、フロントケース３の第２空間６６とリヤケース４の第３空間７４とを連通させる。そして、上述したように受皿２２が本体ケース２内に収容された状態において、受皿２２では、前側領域２２Ａが貫通穴８０に背面側から挿通されて第２空間６６に配置され、後側領域２２Ｂがリヤケース４の第３空間７４に配置される。この状態では、貫通穴８０が、前後方向において仕切り板６７と一致しており、仕切り板６７によって背面側から隙間なく塞がれている。
【００３９】
仕切り板６７の下端部には、流入穴６８と流出穴６９という２つの貫通穴が形成されており、流入穴６８および流出穴６９を介して、前側領域２２Ａと後側領域２２Ｂとが連通している。なお、流入穴６８および流出穴６９は、図２では重なって見えるが実際には幅方向（図２の紙面に垂直な方向）において互いに離れている。
給水タンク２１を受皿２２の前側領域２２Ａに収容すると、給水タンク２１の底の弁体（図示せず）が、受皿２２の底から上向きに突設された突起（図示せず）によって押し上げられて、給水タンク２１の水抜き穴（図示せず）を開く。これにより、給水タンク２１内の水が排出され、流入穴６８から受皿２２の後側領域２２Ｂに流入し、後側領域２２Ｂに溜まる。
【００４０】
回収タンク２６を受皿２２の前側領域２２Ａに収容すると、回収タンク２６の底の弁体２７が、受皿２２の底から上向きに突設された突起２９によって押し上げられて、回収タンク２６の流入口２８を開く。ここで、後側領域２２Ｂに溜まった水のうち、後側領域２２Ｂに長時間溜まることで古くなった水は、流出穴６９から溢水された後、流入口２８から回収タンク２６内へ回収される。
【００４１】
なお、後側領域２２Ｂに規定水位まで水が溜まると、その途中で流入穴６８および流出穴６９を介して水が前側領域２２Ａと後側領域２２Ｂとの間で行き来することによって、前側領域２２Ａおよび後側領域２２Ｂの水位は、結果的に、等しい水位でつながる（図示した水面Ｓを参照）。このとき、流入穴６８および流出穴６９は、水面Ｓより下方に位置して、水に完全に漬かっている。また、上述したように隔壁１３の貫通穴８０が受皿２２の仕切り板６７によって塞がれている。そのため、空気が、流入穴６８および流出穴６９を介して、前側領域２２Ａと後側領域２２Ｂとの間で行き来することはない。そのため、フロントケース３の第１空間６５およびリヤケース４の内部（第３空間７４）の空気が第２空間６６に漏れることはない。
【００４２】
そして、加湿ユニット２０は、フィルタ１１およびファン１２を通過して各出口９へ向う空気の流路１５（太い実線矢印参照）の途中に配置されている。そのため、フィルタ１１で清浄化された空気の流れ（空気流）は、必ず加湿ユニット２０を通過する。
加湿ユニット２０は、前後方向に延びる中心軸を有する略円盤形状である。加湿ユニット２０は、前後方向に重ねられた複数枚の加湿板３２と、このように重ねられた状態にあるこれらの加湿板３２を前後から挟持（保持）する前プレート３０（保持部材）および後プレート３１とを含んでいる。加湿板３２、前プレート３０および後プレート３１は、ほぼ同じ外径を有する円板形状であり、それぞれの中心軸は、前後方向に沿って延びている。加湿板３２および前プレート３０は、環状をなしている。
【００４３】
加湿ユニット２０は、リヤケース４の後壁の一部（リヤカバー１２０という。）から前方へ延びて加湿板３２、前プレート３０および後プレート３１の円中心を通る軸５１によって、回転自在に保持されている。この状態で、加湿板３２の下部は、受皿２２の後側領域２２Ｂに所定水位まで溜まった水（水面Ｓ参照）に漬かっている。
そして、上述したようにフィルタ１１で清浄化された空気が引き続き流路１５を流れて加湿ユニット２０を通過する際に加湿ユニット２０が回転する。加湿ユニット２０が回転することによって、加湿板３２も複数枚重ねられた状態で前プレート３０および後プレート３１とともに回転し、このとき、加湿板３２は、後側領域２２Ｂの水に漬かった状態と、この水から上がった状態との間を移動する。そして、加湿板３２は、水から上がった状態のときに、清浄化された空気の流れ（図２の太い実線矢印を参照）に曝される。詳しくは、加湿板３２において後側領域２２Ｂの水によって濡れた部分が、加湿ユニット２０が１回転を終えるまでの間に、流路１５における清浄化された空気の流れに曝される。その結果、加湿板３２に付着していた水分が、清浄化された空気を加湿して、この空気とともに、出口９から所定の方向へ放出され、室内の加湿に寄与する。
【００４４】
この状態において、上述したように、フロントケース３の第１空間６５およびリヤケース４の第３空間７４の空気が第２空間６６に漏れないので、流路１５を流れる空気が第２空間６６に漏れることもない。
＜加湿ユニットのメンテナンス＞
加湿ユニット２０は、加湿板３２の洗浄および交換といったメンテナンスのため、加湿ユニット２０を回転自在に保持する軸５１およびリヤカバー１２０と一体となって、本体ケース２に対して背面側から着脱可能である。これに伴い、リヤカバー１２０は、リヤケース４の後壁から分離されている。また、受皿２２の後壁がリヤカバー１２０に取付けられているので、受皿２２も加湿ユニット２０と一緒に着脱される。ここでは、加湿ユニット２０、軸５１、リヤカバー１２０および受皿２２をまとめて引出ユニット８１という。
【００４５】
リヤケース４の後壁（背面）には、リヤカバー１２０によってちょうど塞がれる大きさの開口８２が形成されている。開口８２は、リヤケース４の内部（第３空間７４）に連通している。引出ユニット８１が本体ケース２に対して着脱される際、引出ユニット８１においてリヤカバー１２０以外の部分が、開口８２を通過する。そして、引出ユニット８１が本体ケース２に装着されたときには、上述したように、受皿２２の前側領域２２Ａがフロントケース３の第２空間６６に配置され、受皿２２の後側領域２２Ｂおよび加湿ユニット２０がリヤケース４の第３空間７４に配置される。このとき、開口８２がリヤカバー１２０によって背面側から隙間なく塞がれ、隔壁１３の貫通穴８０が受皿２２の仕切り板６７によって背面側から隙間なく塞がれる。
【００４６】
開口８２がリヤカバー１２０によって隙間なく塞がれることによって、リヤケース４の内部（第３空間７４）が、背面側において、外部から遮断される。隔壁１３の貫通穴８０が仕切り板６７によって隙間なく塞がれることによって、上述したように、フロントケース３の第１空間６５およびリヤケース４の第３空間７４の空気が第２空間６６に漏れなくなる。
【００４７】
図３は、図２に比較例を適用した図である。
引出ユニット８１を本体ケース２に装着する場合には、図３に示すように、リヤカバー１２０の上部１２０Ａが、ユーザの手Ｈによって、背面側から押される。図示されていないが、このようにリヤカバー１２０の上部１２０Ａが背面側から押されてから、固定用ピン（図示せず）等によってリヤカバー１２０の上部１２０Ａが本体ケース２に固定される。
【００４８】
この状態において、リヤカバー１２０では、背面側から押された上部１２０Ａは、リヤケース４の後壁において開口８２の上部を縁取る部分（上側縁部８２Ａ）に背面側から隙間なく当接している。
しかし、この状態では、リヤカバー１２０において、背面側から押されていない下部１２０Ｂが、リヤケース４の後壁において開口８２の下部を縁取る部分（下側縁部８２Ｂ）に対して背面側へ離間し、リヤカバー１２０の下部１２０Ｂと下側縁部８２Ｂとの間に隙間αが形成されている場合がある。この場合、開口８２は、リヤカバー１２０によって隙間なく塞がれていない。
【００４９】
また、引出ユニット８１において、背面側から押されていない下部１２０Ｂに上下方向で近い位置にある仕切り板６７が、隔壁１３において貫通穴８０を縁取る部分（縁部８０Ａ）に対して背面側へ離間し、仕切り板６７と縁部８０Ａとの間に隙間βが形成されている場合がある。この場合、貫通穴８０は、仕切り板６７によって隙間なく塞がれていない。
【００５０】
このように貫通穴８０および開口８２が隙間なく塞がれていない状態で空気清浄機１が作動すると、流路１５を流れる空気の一部が、出口９へ向かわずに、隙間αから機外に漏れ出したり、隙間βからフロントケース３の第２空間６６に漏れ出したりする（図３の太い点線矢印参照）。
隙間α、βから空気が漏れ出すと、流路１５を流れる空気の量が減少するので、これに伴って、出口９から排出される空気の量が減少する。この場合、空気清浄機１では、空気清浄および加湿の効率が低下する不具合が生じる。
【００５１】
また、隙間α、βから空気が漏れ出すと、受皿２２の後側領域２２Ｂに溜められた水の一部や加湿板３２に付着した水の一部が、この空気に乗って、隙間α、βから漏れ出す虞がある（図３では隙間βから漏れ出す水分Ｗを示している。）。隙間αから漏れ出した水は、機外に至り、空気清浄機１が載置される載置面を水浸しにする不具合が生じる。隙間βから漏れ出した水は、機内に存在するものの、回収タンク２６の天面部分等にかかり、回収タンク２６を交換しようと回収タンク２６の天面部分にアクセスするユーザの手を濡らす不具合が生じる。
【００５２】
そこで、これらの不具合を解消するために、空気清浄機１には、引き込み手段およびリブとしてのガイドリブ１０１が設けられている（図２参照）。
図４は、図２の要部を抜き出して示した図である。
図４に示すように、ガイドリブ１０１は、フロントカバー２３の下端、または、上述したようにフロントカバー２３に固定された給水タンク２１の下端（底面）に一体的に設けられており、下方へ突出している。ガイドリブ１０１の前面（図４における左面）は、フロントカバー２３および給水タンク２１側から連続して下方へ垂直に延びる垂直面１０１Ａと、垂直面１０１Ａの下端から連続して斜め後側下方（図４における斜め右側下方）へ傾斜して延びる傾斜面１０１Ｂとを含んでいる。
【００５３】
まず、フロントカバー２３および給水タンク２１がフロントケース３から取り外された状態において、引出ユニット８１を本体ケース２に装着する（図３参照）。これにより、上述したように隙間α、βが形成されて貫通穴８０および開口８２が隙間なく塞がれていない場合には（図３参照）、図４（ａ）に示すように、フロントカバー２３および給水タンク２１をフロントケース３に対して正面側から背面側へ押し込む。図４（ａ）では、フロントカバー２３および給水タンク２１が背面側へ押し込まれるのに伴ってガイドリブ１０１が受皿２２の前壁２２Ｃの上方を後側ヘ通過しようとしている状態が示されている。このとき、給水タンク２１は、回収タンク２６に対してやや浮き上がった状態にある。
【００５４】
引き続きフロントカバー２３および給水タンク２１を背面側へ押し込むと、図４（ｂ）に示すように、フロントカバー２３および給水タンク２１は背面側へ移動しながら、自重によって下降する。このとき、ガイドリブ１０１が受皿２２の前壁２２Ｃの上端を後側へ乗り越えようとし、ガイドリブ１０１の傾斜面１０１Ｂが受皿２２の前壁２２Ｃの上端に接触する。ここで、フロントカバー２３および給水タンク２１の移動に伴って、ガイドリブ１０１は、斜め後側下方へ移動し、ガイドリブ１０１の傾斜面１０１Ｂは、受皿２２の前壁２２Ｃの上端を後側へ押圧する。つまり、フロントカバー２３および給水タンク２１がフロントケース３に装着されるときに、ガイドリブ１０１の傾斜面１０１Ｂが、受皿２２の前壁２２Ｃに係合（接触）して、受皿２２、および、受皿２２を含む上述した引出ユニット８１全体を、正面側へ引き込む。
【００５５】
ガイドリブ１０１によって引出ユニット８１が正面側へ引き込まれるのに伴って、引出ユニット８１のリヤカバー１２０も正面側へ引き込まれ、リヤカバー１２０の下部１２０Ｂが、リヤケース４の後壁において開口８２の下部を縁取る部分（下側縁部８２Ｂ）に対して背面側から接近する（図２参照）。また、ガイドリブ１０１によって引出ユニット８１が正面側へ引き込まれるのに伴って、引出ユニット８１における受皿２２の仕切り板６７も正面側へ引き込まれ、仕切り板６７は、隔壁１３において貫通穴８０を縁取る部分（縁部８０Ａ）に対して背面側から接近する（図２参照）。つまり、リヤカバー１２０の下部１２０Ｂと下側縁部８２Ｂとの隙間α（図３参照）、および、仕切り板６７と縁部８０Ａとの隙間β（図３参照）が小さくなっていく。
【００５６】
フロントカバー２３および給水タンク２１をさらに背面側へ押し込むと、フロントカバー２３および給水タンク２１は引き続き背面側へ移動しながら下降する。これに伴い、ガイドリブ１０１の傾斜面１０１Ｂが受皿２２の前壁２２Ｃの上端を後側へ押圧し、引出ユニット８１全体が引き続き正面側へ引き込まれ、隙間α、β（図３参照）がさらに小さくなる。
【００５７】
そして、フロントカバー２３および給水タンク２１の押し込みが完了すると、図４（ｃ）に示すように、給水タンク２１の底面が回収タンク２６の天面に対して上から当接し、ガイドリブ１０１が受皿２２の前壁２２Ｃの上端を後側へ完全に乗り越える。この状態では、隙間α、β（図３参照）が完全になくなり、隔壁１３の貫通穴８０は、仕切り板６７によって隙間なく塞がれ、リヤケース４の後壁の開口８２は、リヤカバー１２０によって隙間なく塞がれている（図２参照）。また、この状態において、ガイドリブ１０１では、上述したように傾斜面１０１Ｂによって引出ユニット８１全体が正面側へ引き込まれることにより隙間α、βが完全になくなった状態で、傾斜面１０１Ｂの代わりに、垂直面１０１Ａが、受皿２２の前壁２２Ｃに対して背面側から当接し、これにより、受皿２２（つまり引出ユニット８１）を正面側に引き込んだ状態で水平方向に位置決めしている。そのため、引出ユニット８１が背面側へずれることがなく、隙間α、βが完全になくなった状態（隔壁１３の貫通穴８０およびリヤケース４の後壁の開口８２が隙間なく塞がれた状態）が維持される（図２参照）。
【００５８】
つまり、本体ケース２に対する引出ユニット８１の装着が不完全であって上述した隙間α、βが存在しても、フロントカバー２３および給水タンク２１を本体ケース２に装着することによって、ガイドリブ１０１がリヤカバー１２０および仕切り板６７（図２参照）を正面側へ引き込む。これにより、本体ケース２に引出ユニット８１が装着された状態において、図２に示すように、リヤカバー１２０は、開口８２を背面側から隙間なく塞ぐことができ、仕切り板６７は、隔壁１３の貫通穴８０を背面側から隙間なく塞ぐことができ、上述した隙間α、β（図３参照）を自動的になくすことができる。なお、隙間α、βが自動的になくなると、流路１５が自動的に完成するので、流路１５を流れる全ての空気は、出口９から排出される。また、隙間α、βがなくなると、水の漏れ出しを防止できるので、受皿２２における水の流れを確保できる。
【００５９】
以上の結果、引出ユニット８１が本体ケース２に対して着脱可能な空気清浄機１において、引出ユニット８１が本体ケース２に装着された状態で、本体ケース２内の水および本体ケース２内を流れる空気が本体ケース２の背面の開口８２や隔壁１３の貫通穴８０から漏れ出すことを防止できる。
また、このような簡易な構成のガイドリブ１０１を設けることにより、フロントカバー２３および給水タンク２１を正面側から本体ケース２に装着するだけの動作で、受皿２２、換言すれば、リヤカバー１２０および仕切り板６７を正面側へ引き込んで、開口８２および隔壁１３の貫通穴８０を背面側から隙間なく塞ぐことができる。
【００６０】
詳しくは、上述したように、給水タンク２１を正面側から本体ケース２に装着すると、ガイドリブ１０１では、まず、傾斜面１０１Ｂが受皿２２（つまりリヤカバー１２０および仕切り板６７）を正面側に引き込むことによって、開口８２および隔壁１３の貫通穴８０を背面側から隙間なく塞ぐことができる。その後、垂直面１０１Ａが受皿２２を正面側に引き込んだ状態で水平方向に位置決めすることによって、開口８２および隔壁１３の貫通穴８０が背面側から隙間なく塞がれた状態を維持することができる。
【００６１】
つまり、このような垂直面１０１Ａおよび傾斜面１０１Ｂを有するガイドリブ１０１によって、開口８２および隔壁１３の貫通穴８０を背面側から隙間なく塞ぐことができ、さらに、隙間なく塞いだ状態を維持することができる。
図５は、本体ケース２から引出ユニット８１を引き出した状態における空気清浄機１の平断面図である。図６は、本体ケース２に引出ユニット８１を装着した状態における空気清浄機１の平断面図である。
【００６２】
以上のように引出ユニット８１を正面側へ引き込むためにガイドリブ１０１を用いるのに代えて、図５に示すように、強力な磁力を有する、たとえばネオジオム系の磁石１０３を引き込み手段として用いてもよい。図５では、磁石１０３を黒く塗り潰して示している（図６も同様）。
磁石１０３は、引出ユニット８１において、リヤカバー１２０の前面（図５では上面であり、リヤケース４の後壁の開口８２を塞ぐ面）における左右の両端に取り付けられている。リヤカバー１２０に取り付けられた磁石１０３を磁石１０３Ａと区別する。
【００６３】
また、磁石１０３は、リヤケース４の後壁において、リヤカバー１２０の磁石１０３Ａに対して前から対向する位置にも取り付けられている。リヤケース４に取り付けられた磁石１０３を磁石１０３Ｂと区別する。つまり、磁石１０３は、リヤケース４（本体ケース２）およびリヤカバー１２０のそれぞれに設けられている。
リヤカバー１２０の磁石１０３Ａとリヤケース４の磁石１０３Ｂとは互いに引き寄せ合う。そのため、引出ユニット８１を本体ケース２（リヤケース４）に背面側から装着すると、リヤカバー１２０を含む引出ユニット８１が正面側へ引き込まれる。これにより、図６に示すように、リヤケース４の後壁の開口８２は、リヤカバー１２０によって背面側から隙間なく塞がれる。このとき、図６では示されていないが、隔壁１３の貫通穴８０は、仕切り板６７によって背面側から隙間なく塞がれる（図２参照）。
【００６４】
つまり、引出ユニット８１を背面側から本体ケース２に装着するだけの動作で、本体ケース２側の磁石１０３Ｂとリヤカバー１２０側の磁石１０３Ａとが互いに引き寄せ合うことによってリヤカバー１２０および仕切り板６７が正面側へ自動的に引き込まれ、これにより、開口８２および隔壁１３の貫通穴８０を背面側から隙間なく塞ぐことができる。
このように、磁石１０３を用いれば、ガイドリブ１０１（図２参照）を用いる場合とは異なり、引出ユニット８１を本体ケース２に装着する以外にフロントカバー２３および給水タンク２１を本体ケース２に装着する手間を省くことができる。ただし、磁石１０３とガイドリブ１０１とを併用すれば、確実に引出ユニット８１を正面側へ引き込むこと（上述した隙間α、βをなくすこと）ができる。また、リヤケース４（本体ケース２）側およびリヤカバー１２０側のそれぞれ磁石１０３を、上下方向において隙間α、βに近い位置（図３参照）に配置しておけば、確実に隙間α、βをなくすことができる。
【００６５】
ここで、図６に示すように、リヤケース４内（第３空間７４）には、リヤケース４の背面（後壁）において開口８２を縁取る部分と隔壁１３の後面との間に架設されて前後に延びる内壁１０５（第１壁）が設けられている。換言すれば、内壁１０５は、隔壁１３から開口８２の縁まで背面側へ延びている。図６では、内壁１０５がリヤケース４の内部における左右の両側にそれぞれ設けられている。引出ユニット８１が本体ケース２に装着された状態において、加湿ユニット２０は、リヤケース４内において、左右の内壁１０５の間に配置されている。
【００６６】
ここで、引出ユニット８１において、開口８２を背面側から塞ぐリヤカバー１２０には、遮断壁１０６（第２壁）が一体的に設けられている。遮断壁１０６は、リヤカバー１２０の前面から連続して前側（正面側）へ延び、引出ユニット８１が本体ケース２に装着された状態において、隔壁１３の後面に対して、僅かな隙間γを隔てて対向している。また、遮断壁１０６は、リヤカバー１２０の左右の両側にそれぞれ設けられている。各遮断壁１０６は、引出ユニット８１が本体ケース２に装着された状態において、リヤケース４の後壁の開口８２の内側にて、背面視で、対応する各内壁１０５と加湿ユニット２０との間に配置される。詳しくは、遮断壁１０６は、引出ユニット８１が本体ケース２に装着された状態において、背面視で、内壁１０５と、加湿板３２および加湿板３２の内空間５７に臨む連通穴１４（図２参照）との間に配置されて、隔壁１３まで正面側に延びている。
【００６７】
遮断壁１０６がない場合には、引出ユニット８１が本体ケース２に装着された状態において、空気清浄機１が運転されることによってリヤケース４内を流れる空気および加湿ユニット２０の水は、図示した太い破線矢印で示すように、リヤケース４の後壁において開口８２を縁取る部分（開口８２の縁）に、比較的短時間で到達し、外部へ漏れ出てしまう虞がある。
【００６８】
しかし、遮断壁１０６がある場合には、リヤケース４内の空気および水は、開口８２の縁に到達するためには、図示した太い実線矢印で示すように、遮断壁１０６に沿って一旦隔壁１３へ向かって正面側の隙間γへ向かい、その後、隔壁１３にぶつかって背面側に向きを変え、隙間γを経て、遮断壁１０６と内壁１０５との間を背面側へ流れねばならない。
【００６９】
つまり、遮断壁１０６がある場合には、遮断壁１０６がない場合に比べて、リヤケース４内の空気および水が開口８２の縁に到達するためにかかる時間（または経路）が長くなる。さらに、遮断壁１０６に沿って隔壁１３へ向かった空気流および水が隙間γで隔壁１３にぶつかるので、空気および水の流れる勢いが衰え、開口８２の縁に到達しにくくなる。
【００７０】
そのため、引出ユニット８１が本体ケース２に対して着脱可能な空気清浄機１において遮断壁１０６を設けることによって、引出ユニット８１が本体ケース２に装着された状態で、本体ケース２（詳しくは第３空間７４）内の水および本体ケース２内を流れる空気が開口８２から外部へ漏れ出すことを防止できる。なお、水および空気の漏れ出しを一層防止するために、隙間γを極力小さくすることが望ましい。
＜加湿ユニットの組み立て＞
図７（ａ）は、加湿ユニット２０周辺の右側面図であって、一部を断面で示しており、図７（ｂ）は、図７（ａ）のＡ−Ａ矢視断面図である。図８は、加湿ユニット２０の分解斜視図である。
【００７１】
次に、図７および図８を参照して、加湿ユニット２０の組み立てについて説明する。
図７（ａ）に示すように、前プレート３０の前面（図７（ａ）では左側の面）には、前プレート３０と同心の環状の第１リブ３７が一体的に設けられている。第１リブ３７は、前プレート３０から前側へ突出しており、第１リブ３７の後端の周縁が、前プレート３０の内周縁に対して、その全周に亘って接続されている。第１リブ３７の外周面には、ギヤ歯が形成されている。
【００７２】
前プレート３０の後面には、複数（ここでは８つ）のボス３３（給水部）が一体的に設けられている（図７（ｂ）も参照）。これらのボス３３は、前プレート３０の外周縁に沿うように、前プレート３０の周方向において等しい間隔を隔てて配置されている。ボス３３は、中空体であり、前プレート３０の後面から後方へ突出している。図７（ｂ）に示すように、ボス３３は、背面から見て、前プレート３０の径方向における内側へ向って円弧状に膨出している。ボス３３において、このように円弧状に膨出した部分は、貯留部３４とされる。そして、ボス３３の後端面には、挿通穴３５が形成され（図７（ａ）参照）、ボス３３において、背面から見て時計回りの方向における下流側の側面には、切欠き３６が形成されている。切欠き３６の後端と挿通穴３５とは連続している（図８参照）。挿通穴３５および切欠き３６によって、ボス３３の内部が露出されている。このようなボス３３は、背面から見て、時計回りの方向における下流側が切欠かれた略Ｃ字形状をなしている。また、前プレート３０の後面において、各ボス３３が接続された位置には、挿通穴４３が形成されている（図２参照）。挿通穴４３は、対応するボス３３の内部に臨んでおり、挿通穴３５および切欠き３６から露出されている（図８参照）。
【００７３】
図７（ａ）に示すように、前プレート３０の後面には、前プレート３０と同心の環状の第２リブ３８が一体的に設けられている。詳しくは、第２リブ３８は、前プレート３０から後側へ突出しており、第２リブ３８の前端の周縁が、前プレート３０の内周縁に対して、その全周に亘って接続されている。第２リブ３８には、その周方向に沿って複数の通過穴５６が形成されており（図８も参照）、これらの通過穴５６は、第２リブ３８の径方向における内側と外側とを連通させている。第２リブ３８の後端の内側周縁部には、その円周方向（加湿ユニット２０の回転方向でもある）における全周に亘って配列された第１のギヤ歯５５が形成されている（図８も参照）。
【００７４】
図８に示すように、第２リブ３８の円周面（詳しくは隣り合う通過穴５６の間の部分）には、第２リブ３８の径方向外側へ突出し、前後方向（第２リブ３８の軸方向）に沿って延びるレール状の位置決めリブ１０７（位置決め部、リブ）が一体的に設けられている。位置決めリブ１０７は、第２リブ３８の周方向において等しい間隔を隔てて複数（ここでは２つ）設けられている。位置決めリブ１０７は、第２リブ３８の径方向における外側に向かって細くなっている。
【００７５】
図７（ａ）に示すように、後プレート３１の円中心には、前方へ延びる筒状に区画された貫通穴３９が形成されている。図８に示すように、後プレート３１の外側周縁部には、前プレート３０のボス３３に対応した個数（８つ）の挿通穴４０が形成されている。これらの挿通穴４０は、後プレート３１の外周縁に沿うように、後プレート３１の周方向において等しい間隔を隔てて形成されており、後プレート３１を貫通している。
【００７６】
後プレート３１の前面において、各挿通穴４０に対して、後プレート３１の径方向における内側に隣接した位置には、前側へ突出する突起４４が形成されている。突起４４は、正面から見て、挿通穴４０の周縁に沿うように、後プレート３１の径方向における内側へ円弧状に膨出している。
後プレート３１の後面において、各挿通穴４０の周囲には、挿通穴４０を取り囲むように後側へ突出するリブ４１が形成されており、このリブ４１の内側には、対応する挿通穴４０に連続する凹部４２が形成されている。
【００７７】
図７（ｂ）に示すように、加湿板３２は、上述したように環状板であるので、その内周縁で囲まれた内空間５７を有している。加湿板３２の内径（内周縁の径）は、前プレート３０の環状の第２リブ３８の外径より大きい（図７（ａ）参照）。
加湿板３２の外周縁には、前プレート３０のボス３３に対応した個数（８つ）の切欠き４５が形成されている（図８も参照）。これらの切欠き４５は、加湿板３２の周方向において等しい間隔を隔てて形成されている。各切欠き４５は、加湿板３２の径方向における内側へ向って膨出する円弧状に形成されている。
【００７８】
加湿板３２の内周縁には、複数の切込み４６が、加湿板３２の周方向において等しい間隔を隔てて形成されている。各切込み４６は、加湿板３２の径方向における外側へ向かって細くなる略三角形状に形成されている。
加湿板３２の前面および後面のそれぞれにおいて各切欠き４５の近傍には、前後方向（図７（ｂ）では紙面の厚さ方向）における外側へ突出する第１突条４７および第２突条４８が設けられている。第１突条４７は、対応する切欠き４５において加湿板３２の径方向における最も内側の部分（切欠き４５の最深部）の近傍から加湿板３２の内周縁まで直線状に延びている。第２突条４８は、背面から見た場合（つまり後面の第２突条４８については）、対応する第１突条４７に対して時計回りにおける下流側に隣接する位置おいて、加湿板３２の外周縁と内周縁とを繋ぐように直線状に延びている。各切欠き４５における第１突条４７と第２突条４８とは、加湿板３２の径方向における内側へ向かうに従って互いに接近するように延びている。
【００７９】
加湿板３２の前面および後面のそれぞれにおいて、加湿板３２の周方向において隣り合う切欠き４５の間には、前後方向における外側へ突出する凸部４９が形成されている。凸部４９は、前後方向から見て、円形状である。
加湿ユニット２０の組み立てるために、まず、図７（ａ）を参照して、前プレート３０、加湿板３２および後プレート３１を、前側からこの順で、同心状に並べる。ここで、加湿板３２は、複数枚（たとえば１７枚）が前後方向に重なった状態で並べられる。隣り合う加湿板３２の間には、各加湿板３２に設けられた第１突条４７、第２突条４８および凸部４９（図７（ｂ）参照）が介在されている。隣り合う加湿板３２のうち、一方の加湿板３２の第１突条４７、第２突条４８および凸部４９が、他方の加湿板３２の前面または後面に当接することによって、隣り合う加湿板３２の間隔を、所定の間隔（たとえば１．４ｍｍ）に維持しており、隣り合う加湿板３２の間には、上記所定の間隔に相当する隙間Ｘが形成される。
【００８０】
そして、複数枚の加湿板３２が、前プレート３０に対して後側から組み付けられる。このとき、各加湿板３２が、前プレート３０の第２リブ３８に外嵌され、各加湿板３２の切欠き４５に、前プレート３０において対応するボス３３が嵌まり込む（図７（ｂ）参照）。これにより、加湿板３２は、前プレート３０によって、複数枚重なった状態で保持される。この状態において、各ボス３３の切欠き３６（図７（ｂ）参照）は、隣り合う加湿板３２における各隙間Ｘに連通している。
【００８１】
また、このとき、第２リブ３８の２つの位置決めリブ１０７（図８参照）が、各加湿板３２における最寄りの切込み４６に対して、径方向内側から嵌合している（図７（ｂ）参照）。これにより、全ての加湿板３２が、前プレート３０（詳しくはボス３３）に対して、周方向および径方向において位置決めされる。詳しくは、各加湿板３２では、全ての切欠き４５において、切欠き４５を縁取る部分がボス３３に接触していない（図７（ｂ）参照）。つまり、各加湿板３２は、全てのボス３３に対して非接触となるように位置決めされている。ここで、前プレート３０という共通の部材にボス３３および位置決めリブ１０７が設けられているので、位置決めリブ１０７は、ボス３３に対して加湿板３２を精度よく位置決めできる（図８参照）。
【００８２】
次いで、後プレート３１が、加湿板３２が組み付けられた状態にある前プレート３０に対して、後側から組み付けられる。このとき、後プレート３１の突起４４が、前プレート３０において対応するボス３３の挿通穴３５を介して、このボス３３の内側に挿通され、ボス３３の貯留部３４において前プレート３０の径方向における外側面（ボス３３の貯留部３４における内側面）に沿うように貯留部３４の後側に配置される。これにより、ボス３３の貯留部３４における内側面の前側部分は、突起４４が配置された後側部分よりも前プレート３０の径方向における内側へ凹んでおり、流下エリア５４とされる。また、この状態において、後プレート３１の各挿通穴４０が、前プレート３０において対応する挿通穴４３に対して後側から対向している（図２参照）。
【００８３】
その後、図２に示すように、ねじ形状のピン５０を、後プレート３１の後面側から各挿通穴４０に挿通し、ボス３３の内部に通してから、ピン５０の先端５０Ａ（前端）を、対応する挿通穴４３に挿入する。挿入後にピン５０をねじるとピン５０の先端５０Ａが前プレート３０に引っ掛かることから、前プレート３０と後プレート３１との間に複数枚の加湿板３２が挟まれた状態で、前プレート３０と後プレート３１とが一体化される。なお、このとき、ピン５０の頭部５０Ｂは、後プレート３１において対応する凹部４２（図８参照）に収まっており、後プレート３１からはみ出ていない。
【００８４】
最後に、上述した軸５１を、後プレート３１の貫通穴３９に後側から挿通する。貫通穴３９に挿通された軸５１の前端部は、貫通穴３９から前側に露出される。そして、この露出した軸５１の前端部に対して円筒状のカラー５３が前から外嵌されて軸５１と一体化されることによって、軸５１が貫通穴３９から抜けないように、後プレート３１に取り付けられる。
【００８５】
以上により、加湿ユニット２０の組み立てが完了する。
ここで、図７（ａ）に示すように、隔壁１３には、モータ６０が取り付けられ、モータ６０の出力軸に取り付けられたギヤ６１が、加湿ユニット２０の前プレート３０における第１リブ３７の外周面のギヤ歯と噛み合っている。そのため、モータ６０が駆動されると、ギヤ６１が所定の方向へ回転し、これに伴って、加湿ユニット２０全体が、所定の一方向、詳しくは背面から見て時計回りの方向（図７（ｂ）の点線矢印参照）へ回転する。
【００８６】
このように加湿ユニット２０が回転すると、８つのボス３３も加湿ユニット２０（加湿板３２も含む。）とともに回転する。以下では、図７（ｂ）を参照して、加湿ユニット２０が１回転するまでにおける１つのボス３３の様子を説明する。
まず、ボス３３が受皿２２（詳しくは、上述した後側領域２２Ｂ）の水に漬かると、そのボス３３の内部には、切欠き３６を介して水が一杯まで溜められる（ボス３３Ａを参照）。このとき、加湿板３２においてボス３３Ａ周辺の部分も、受皿２２の水に漬かって濡れる。このときを加湿ユニット２０の回転開始時とする。
【００８７】
そして、加湿ユニット２０が回転するにつれ、受皿２２に漬かっていたボス３３が受皿２２の水面Ｓから離れて上昇し、これにより、受皿２２の水がボス３３によって汲み上げられる（ボス３３Ｂ、ボス３３Ｃおよびボス３３Ｄを参照）。このとき、このボス３３の周囲の第１突条４７および第２突条４８も、水を汲み上げる。そして、加湿板３２において受皿２２の水に漬かって濡れた部分（第１突条４７および第２突条４８も含む。）が、加湿ユニット２０が１／２回転するまでの間に、加湿ユニット２０において上側へ移動し、流路１５を流れる空気（図２の太い実線矢印を参照）に曝される。これにより、加湿板３２に付着していた水分が、微細な粒子となって、清浄化された空気に乗り（換言すればこの空気を加湿し）、各出口９から外部へ放出される。その結果、上述したように、室内が加湿される。
【００８８】
これに伴い、加湿ユニット２０が１／２回転するまでの間に、加湿板３２から水分がほとんどなくなってしまうが、加湿ユニット２０が１／２回転した時点で、最上位にあるボス３３の貯留部３４における内部には、受皿２２から汲みだした水分Ｗが残っており（ボス３３Ｅを参照）、この水が、ボス３３からこぼれて加湿板３２に供給される。
詳しくは、加湿ユニット２０が１／２回転する手前において、ボス３３Ｄに示すように、ボス３３の貯留部３４には、水分Ｗが残っている。ここで、ボス３３Ｃおよびボス３３Ｄを参照して、ボス３３Ｃでの切欠き３６が上を向いているのに対し、ボス３３Ｄでの切欠き３６は、上下方向に対して傾斜した方向を向いている。そのため、加湿ユニット２０の回転に伴って、ボス３３が、ボス３３Ｃからボス３３Ｄの状態へ移動すると、貯留部３４に残っている水分Ｗが、切欠き３６からこぼれ落ちようとして切欠き３６へ移動するのだが、この水分Ｗの水面のうち、切欠き３６付近の部分Ｖが、表面張力によって上側へ僅かに膨らみ、切欠き３６へ移動してくる水分Ｗを堰き止める（ボス３３Ｄ参照）。しかし、加湿ユニット２０が１／２回転することによって、ボス３３が、ボス３３Ｄの状態からボス３３Ｅの状態へ移動すると、切欠き３６付近の水分Ｗの水面は、切欠き３６へ移動してくる水分Ｗを堰き止めることができなくなり、貯留部３４の水分Ｗは、切欠き３６からこぼれ落ちる。こぼれ落ちた水分Ｗは、毛細管現象によって、隣り合う加湿板３２における各隙間Ｘ（図７（ａ）参照）に浸透して加湿板３２に供給され、加湿板３２が再び濡らされる。
【００８９】
加湿ユニット２０がさらに回転することによって、ボス３３が、ボス３３Ｅの状態からボス３３Ｆやボス３３Ｇの状態へ移動すると、切欠き３６が下向きになることから、貯留部３４の水分Ｗは完全にこぼれ落ちて加湿板３２に供給されて加湿板３２を濡らす。
このように加湿板３２において貯留部３４の水分Ｗによって濡れた部分が、加湿ユニット２０が１回転を終えるまでの間に（ボス３３Ｇおよびボス３３Ｈを参照）、清浄化された空気の流れ（図２の太い実線矢印を参照）に曝される。これにより、加湿板３２に付着していた水分が、加湿ユニット２０が１／２回転するまでと同様に、清浄化された空気とともに室内に放出され、室内の加湿に寄与する。
【００９０】
このように、ボス３３が、加湿板３２とともに回転して、受皿２２の水を汲み上げ、汲み上げた水をこぼして加湿板３２に供給する。そのため、加湿板３２が１回転する際、加湿板３２において、水で濡れた部分が空気を加湿することで早い段階で乾燥しても、ボス３３がこの部分を再び濡らすので、この部分では、加湿を続行できる。これにより、加湿効率の向上を図ることができる。
【００９１】
ここで、上述したように、第２リブ３８の２つの位置決めリブ１０７が各加湿板３２における切込み４６に嵌合するといった簡易な構成によって、全ての加湿板３２が、全てのボス３３に対して非接触となるように、位置決めリブ１０７によってボス３３に対して位置決めされている。そのため、加湿ユニット２０が１／２回転するまでの早い段階で、ボス３３の貯留部３４の水分Ｗが、まだ濡れている加湿板３２を伝って不必要にこぼれ落ちてしまうことを防止できる。換言すれば、適切なタイミング、すなわち、加湿ユニット２０が１／２回転して加湿板３２が乾燥したときに、ボス３３の貯留部３４の水分Ｗをこぼして加湿板３２を濡らすことができるので、加湿効率のさらなる向上を図ることができる。
【００９２】
逆に、加湿板３２がボス３３の切欠き３６付近に接触していると、ボス３３に溜まった水分Ｗの水面における切欠き３６付近の部分Ｖ（ボス３３Ｄ参照）が、表面張力によって膨らまない。そのため、ボス３３において切欠き３６へ移動してくる水分Ｗは、堰き止められることなく、加湿ユニット２０が１／２回転するまでの早い段階で、加湿板３２を伝ってこぼれ落ちてしまう。この場合、加湿ユニット２０が１／２回転して加湿板３２が乾燥しても、加湿ユニット２０が１回転を終えるまでの間は加湿板３２を濡らすことができず、加湿効率の向上を図ることができない。
＜電解水ユニット＞
この空気清浄機１には、図７に示すように、加湿ユニット２０において、加湿板３２の内空間５７（厳密には前プレート３０の第２リブ３８に囲まれる空間）内に、電解水ユニット７０が設けられている。電解水ユニット７０は、フィルタ１１を通過して清浄化された後に流路１５を流れる空気に電解水を乗せるものである。そのため、この空気清浄機１は、上述したように取り込んだ外気をフィルタ１１で清浄化するだけでなく、電解水ユニット７０に電解水を放散させて、この電解水によって外部の空気を殺菌・脱臭することができる。
【００９３】
詳しくは、電解水ユニット７０は、上面が開放された水受け容器７１と、放散板７２と、ギヤ７３と、電極ユニット９８とを備えている。
水受け容器７１の内部は、仕切り壁１１０によって、溢水室１１１と貯留室１２１とに区画されている（図７（ｂ）参照）。
放散板７２は、多数の貫通穴が形成された円板形状である。図７（ａ）に示すように、放散板７２は、貯留室１２１において、斜め前側下方へ傾斜した状態で水受け容器７１に保持されている。
【００９４】
ギヤ７３は、上下方向に延びる中心軸を有する円盤形状であり、その外周部分に、第２のギヤ歯９２が形成されている。また、ギヤ７３の底面の円中心位置には、上下に延びるギヤ軸９３の上端部が接続されている。ギヤ軸９３の下端部は、上述したように傾斜した状態にある放散板７２の円中心部分に上から接続されており、これにより、放散板７２とギヤ７３とが一体化されている。この状態で、放散板７２およびギヤ７３は、ギヤ軸９３とともに、回転自在である。なお、放散板７２は、回転中においても、常に、斜め前側下方へ傾斜した状態を維持している。
【００９５】
電極ユニット９８は、水受け容器７１の貯留室１２１に収容されており、一対の電極１００を含んでいる。一対の電極１００は、貯留室１２１の底へ向けて下方に延びている。一対の電極１００のリード線（図示せず）は、電解水ユニット７０の外部の本体電源（図示せず）に接続されている。
この電解水ユニット７０は、本体ケース２の隔壁１３に支持されている。この状態において、電解水ユニット７０は、加湿ユニット２０において前プレート３０の第２リブ３８に囲まれ、かつ軸５１より上側の空間に、配置される。ここで、電解水ユニット７０では、ギヤ７３の第２のギヤ歯９２が、第２リブ３８の上端部における第１のギヤ歯５５に噛合しているものの、それ以外の部分は、加湿ユニット２０に接触していない。そして、電解水ユニット７０（少なくとも水受け容器７１）は、前後方向において、加湿ユニット２０の流下エリア５４と同じ位置にある。
【００９６】
ここで、上述したように加湿ユニット２０が回転すると、図７（ｂ）に示すように、最上位にあるボス３３（ボス３３Ｅ）の貯留部３４に残っている水分Ｗが、流下エリア５４（図７（ａ）参照）における切欠き３６から、隣り合う加湿板３２における各隙間Ｘ（図７（ａ）参照）に浸透し、加湿板３２を濡らす。この水分Ｗは、加湿板３２の前面と後面と第１突条４７と第２突条４８とに挟まれる部分を伝って加湿板３２の内周縁へ下降する。そして、加湿板３２の内周縁まで到達した水分Ｗは、加湿板３２の内周縁から、第２リブ３８の通過穴５６（図８参照）を経由して落下し、ボス３３Ｅの下方に位置する電解水ユニット７０の水受け容器７１によって受けとめられ、水受け容器７１の貯留室１２１に溜まる。ここでは、第１突条４７および第２突条４８が、加湿板３２の表面を伝う水分Ｗを電解水ユニット７０へ案内している。なお、加湿板３２の表面を伝って加湿板３２の内周縁に至った水分Ｗが、すぐに落下せずに加湿板３２の内周縁に沿って流れても、この水分Ｗを、引き続き内周縁に沿って流すことなく、切込み４６において電解水ユニット７０へ落下させることができる。このように落下させられた水分において、電解水ユニット７０に到達しなかった水分は、受皿２２に受け止められる。
【００９７】
このように水受け容器７１の貯留室１２１に溜められた水の水位が、予め定める水位（所定水位Ｔ）まで上昇すると、電極ユニット９８の一対の電極１００が、貯留室１２１に溜められた水に漬る。貯留室１２１の水位が所定水位Ｔを超えるまで貯留室１２１に水が受け入れられると、所定水位Ｔを超えた分の水が、仕切り壁１１０を乗り越えて溢水室１１１へ流れ込む。
【００９８】
そして、電極ユニット９８では、一対の電極１００にリード線（図示せず）を介して電圧が印加されることにより、貯留室１２１内の水は電気分解されて、電解水となる。水には、通常、水道水が用いられ、水道水には塩素が含まれているから、電極ユニット９８は、電気分解により、殺菌作用や脱臭作用を有する次亜塩素酸（ＨＣｌＯ）や活性酸素を含む電解水を生成することができる。
【００９９】
ここで、上述した所定水位Ｔまで貯留室１２１に水が溜まっている場合には、図７（ａ）に示すように、放散板７２が貯留室１２１の水面に対して斜め前側下方へ傾斜しており、放散板７２の前側部分（略前半分）が貯留室１２１に溜められた水（電解水）に漬かっている。そして、上述したように、電解水ユニット７０では、ギヤ７３の第２のギヤ歯９２が、加湿ユニット２０の第２リブ３８の第１のギヤ歯５５に噛合しているので、加湿ユニット２０が回転すると、ギヤ７３が、加湿ユニット２０の回転力を受けて回転する。
【０１００】
そして、ギヤ７３の回転に伴い、ギヤ軸９３を介してギヤ７３と一体化されている放散板７２が、ギヤ軸９３によって、上述したように斜め前側下方へ傾斜して前側部分が貯留室１２１の水に漬った状態に維持されつつ、加湿ユニット２０の回転に同期するように回転する。
貯留室１２１に溜められた水（電解水）に漬かっている放散板７２の前側部分では、表面張力によって放散板７２の上述した貫通穴（図示せず）に電解水の膜が形成され、この状態で放散板７２が回転することによって、電解水の膜が張った貫通穴（図示せず）が、放散板７２における後側へ移動して、水受け容器７１（貯留室１２１）の電解水を連続的に取り出す。そうすると、電解水の膜が張った貫通穴（図示せず）は、放散板７２の後側部分において、流路１５を流れる空気（図２の太い実線矢印を参照）に順に曝されることとなり、電解水の膜がミスト状に壊されて放散板７２の貫通穴（図示せず）から剥がされ、電解水が連続的に放散される。その後、このミスト状の電解水（電解水ミスト）が空気に乗って上昇し、重ねられた加湿板３２の隙間Ｘを通過してから、清浄化された空気ともに室内に放出される（図２の太い実線矢印を参照）。このように、放散板７２は、生成された電解水を、流路１５を流れる空気に乗せる。
【０１０１】
ここで、図７（ｂ）に示すように、電解水ユニット７０の水受け容器７１の貯留室１２１において、電解水が必要以上に生成された場合や所定水位Ｔを超える量の水が受け入られた場合には、不必要な量の水（所定水位Ｔを超えた分の水）は、上述したように、溢水室１１１に流れ込む。そして、溢水室１１１に流れ込んだ水は、溢水室１１１の底面に接続された溢水管１１２によって溢水させられる。溢水管１１２の下端の溢水口１１３には、ドレン弁１１４が開閉自在に取り付けられている。ドレン弁１１４が溢水口１１３を開くと、溢水管１１２によって溢水させられた水が、溢水管１１２を流れ落ち、開かれた溢水口１１３から受皿２２（後側領域２２Ｂ）へ向かって下方へ落下する。
＜風向き変更リブ＞
図９は、リヤカバー１２０が取り外された状態における空気清浄機１の背面図である。図１０は、隔壁１３の連通穴１４が見える位置における空気清浄機１の平断面図である。
【０１０２】
流路１５（図２参照）を流れる空気は、ファン１２の回転方向（背面視における反時計回りの方向）に起因して、主として、図９の太い実線矢印で示すように、背面視における斜め右側下方へ向かって流れて隔壁１３の連通穴１４を通過する。換言すれば、ファン１２は、空気の流れ（空気流）を所定方向（上述した背面視における斜め右側下方）へ向けて連通穴１４から第３空間７４（詳しくは加湿ユニット２０の加湿板３２の内空間５７）ヘ送り込む。そのため、この空気は、各加湿板３２では、内周縁における斜め右側下方の一部分にのみ集中して浴びせられる。その場合、各加湿板３２では、空気が浴びせられる斜め右側下方の一部分でしか、空気を加湿できない。このことは、加湿ユニット２０の加湿効率の向上を阻む。
【０１０３】
そこで、隔壁１３には、風向き変更手段としての風向き変更リブ１２３が取り付けられている。風向き変更リブ１２３は、上下方向に延びる板状であり、隔壁１３において連通穴１４を上から縁取る部分と下から縁取る部分の間に架設されている。つまり、風向き変更リブ１２３は、連通穴１４内に配置されている。なお、風向き変更リブ１２３の幅方向における位置は、たとえば、背面視における連通穴１４の左側部分であり、連通穴１４を通る空気の流れの妨げとなる位置である。
【０１０４】
図１０に示すように、風向き変更リブ１２３は、後側へ向かうに従って左側へ延びるように傾斜している。
風向き変更リブ１２３を設けた場合には、上述したようにファン１２によって所定方向（背面視における斜め右側下方）へ向けて連通穴１４から第３空間７４へ送り込まれる空気流（太い実線矢印参照）のうち、一部が、風向き変更リブ１２３にぶつかることによって、前記所定方向とは異なる方向である左側へ向かうように変更される（太い破線矢印参照）。そのため、各加湿板３２では、内周縁における斜め右側下方の一部分だけでなく、左側の部分にも空気が浴びせられ、斜め右側下方および左側の各部分において、空気を加湿できる（図９の太い破線矢印も参照）。つまり、空気流の全てが加湿板３２の所定の部分に集中して浴びせられることはなく、加湿板３２における広い領域に空気流を浴びせることができる。これにより、加湿効率の向上を図ることができる。
【０１０５】
もちろん、風向き変更リブ１２３は、連通穴１４を通過した空気を、左側へ導くだけでなく、拡散させて、各加湿板３２の内周縁における全ての部分に均一に浴びせてもよい。これにより、各加湿板３２では、周方向における全領域において、空気を加湿することができるので、加湿効率のさらなる向上を図ることができる。また、空気が拡散することによって空気の流速が低下するので、これにより、上述した隙間α、β、γ（図３および図６参照）等から漏れ出そうする空気や水の勢いを抑えて、空気および水の漏れ出しを防止することができる。
【０１０６】
また、加湿板３２は、内周縁で囲まれた内空間５７を有する環状であり、ファン１２は、空気流を、第３空間７４において、加湿板３２の内空間５７へ送り込む。これにより、加湿板３２における内周縁から外周縁までの全領域に空気流を浴びせることができる。そのため、加湿板３２では、内周縁から外周縁までの全領域において、空気を加湿することができるので、加湿効率の向上を図ることができる。
【０１０７】
また、風向き変更リブ１２３が、連通穴１４内に配置されているので（図９も参照）、引出ユニット８１を引き出して第３空間７４側から連通穴１４に手を差し込もうとしても、この手は、風向き変更リブ１２３に阻まれることによって、連通穴１４に差し込まれにくい。これにより、連通穴１４に手が差し込まれて第１空間６５のファン１２（図２参照）が触られることを防止できる。
【０１０８】
以上により、本発明によれば、付加価値の高い加湿機能付き空気清浄機１を提供することができる。
この発明は、以上説明した実施形態に限定されるものではなく、請求項記載の範囲内において種々の変更が可能である。
【図面の簡単な説明】
【０１０９】
【図１】図１（ａ）は、空気清浄機１の平面図であり、図１（ｂ）は、空気清浄機１の正面図である。
【図２】空気清浄機１の右側面図であり、一部を断面で示している。
【図３】図２に比較例を適用した図である。
【図４】図２の要部を抜き出して示した図である。
【図５】本体ケース２から引出ユニット８１を引き出した状態における空気清浄機１の平断面図である。
【図６】本体ケース２に引出ユニット８１を装着した状態における空気清浄機１の平断面図である。
【図７】図７（ａ）は、加湿ユニット２０周辺の右側面図であって、一部を断面で示しており、図７（ｂ）は、図７（ａ）のＡ−Ａ矢視断面図である。
【図８】加湿ユニット２０の分解斜視図である。
【図９】リヤカバー１２０が取り外された状態における空気清浄機１の背面図である。
【図１０】隔壁１３の連通穴１４が見える位置における空気清浄機１の平断面図である。
【符号の説明】
【０１１０】
１        空気清浄機（加湿装置）
２        本体ケース（筐体）
８        入口
９        出口
１１      フィルタ（空気清浄化手段）
１２      ファン（送風手段）
１３      隔壁
１４      連通穴
２１      給水タンク
２２      受皿（貯水槽）
２２Ａ    前側領域（第２領域）
２２Ｂ    後側領域（第１領域）
２３      フロントカバー
２６      回収タンク
３２      加湿板
６５      第１空間（第１室）
６７      仕切り板
７４      第３空間（第２室）
８０      貫通穴（穴）
８２      開口
１０１    ガイドリブ（引き込み手段、リブ）
１０１Ａ  垂直面
１０１Ｂ  傾斜面
１０３    磁石（引き込み手段）
１０５    内壁（第１壁）
１０６    遮断壁（第２壁）
１２０    リヤカバー
【図１】
2010060155.tif 000003
【図２】
2010060155.tif 000004
【図３】
2010060155.tif 000005
【図４】
2010060155.tif 000006
【図５】
2010060155.tif 000007
【図６】
2010060155.tif 000008
【図７】
2010060155.tif 000009
【図８】
2010060155.tif 000010
【図９】
2010060155.tif 000011
【図１０】
2010060155.tif 000012